(57)【要約】【課題】低コストの構成で、出力リレーを導通状態に切り替わった場合に発生する過電流を抑制する電源装置、及びインバータを提供する。【解決手段】外部から交流電力が供給されるバイパス給電線と交流出力の出力線との間に接続される第１のスイッチと、直流電力を交流電力に変換するＤＣ／ＡＣ変換部と、前記ＤＣ／ＡＣ変換部の出力電圧を制御する出力電圧制御部と、前記ＤＣ／ＡＣ変換部の出力と前記出力線との間に接続される第２のスイッチと、前記ＤＣ／ＡＣ変換部の出力に流れる電流を測定する電流測定部と、前記出力電圧制御部により前記ＤＣ／ＡＣ変換部を起動させた後に、前記電流測定部が測定する電流が所定値以上になった場合に、前記第２のスイッチが非導通状態から導通状態に切り替わったことを検出する状態検出部と、を備える。【選択図】図１
2018170921.tif 000002
【特許請求の範囲】
【請求項１】
外部から交流電力が供給されるバイパス給電線と交流出力の出力線との間に接続される第１のスイッチと、
直流電力を交流電力に変換するＤＣ／ＡＣ変換部と、
前記ＤＣ／ＡＣ変換部の出力電圧を制御する出力電圧制御部と、
前記ＤＣ／ＡＣ変換部の出力と前記出力線との間に接続される第２のスイッチと、
前記ＤＣ／ＡＣ変換部の出力に流れる電流を測定する電流測定部と、
前記出力電圧制御部により前記ＤＣ／ＡＣ変換部を起動させた後に、前記電流測定部が測定する電流が所定値以上になった場合に、前記第２のスイッチが非導通状態から導通状態に切り替わったことを検出する状態検出部と、
を備えることを特徴とする電源装置。
【請求項２】
前記出力電圧制御部は、前記第２のスイッチにおける、前記非導通状態から前記導通状態への切り替わりを検出した場合に、前記ＤＣ／ＡＣ変換部を停止する、請求項１に記載の電源装置。
【請求項３】
前記第２のスイッチを導通状態と非導通状態とに切り替え可能な第１の制御部を備え、
前記第１の制御部は、前記出力電圧制御部により前記ＤＣ／ＡＣ変換部を起動させた後に、前記第２のスイッチを非導通状態から導通状態に切り換える、請求項１又は請求項２に記載の電源装置。
【請求項４】
前記第１のスイッチを導通状態と非導通状態とに切り替え可能な第２の制御部を備え、
前記第２の制御部は、前記出力電圧制御部により前記ＤＣ／ＡＣ変換部が停止された場合に、前記第１のスイッチを導通状態に切り換え、
前記出力電圧制御部は、前記第１のスイッチが導通状態から非導通状態に切り換わった場合に、前記ＤＣ／ＡＣ変換部を再起動する、請求項１から請求項３のいずれか一項に記載の電源装置。
【請求項５】
直流電力を交流電力に変換するＤＣ／ＡＣ変換部と、
前記ＤＣ／ＡＣ変換部の出力電圧を制御する出力電圧制御部と、
前記ＤＣ／ＡＣ変換部の出力と交流出力の出力線との間に接続される第２のスイッチの状態を検出する状態検出部と、
前記ＤＣ／ＡＣ変換部の出力に流れる電流を測定する電流測定部と、
を備え、
前記状態検出部は、前記出力電圧制御部により前記ＤＣ／ＡＣ変換部を起動させた後に、前記電流測定部が測定する電流が所定値以上になった場合に、前記第２のスイッチが非導通状態から導通状態に切り替わったことを検出することを特徴とするインバータ。
【発明の詳細な説明】
【技術分野】
【０００１】
本発明は、電源装置、及びインバータに関する。
【背景技術】
【０００２】
近年、インバータが生成した交流電力を負荷に給電するインバータ給電と、商用電源から供給される交流電力を負荷に給電するバイパス給電とを切り替えて出力可能な電源装置が知られている（例えば、特許文献１を参照）。このような電源装置では、インバータの出力と負荷との間に接続される出力リレーと、商用電源と負荷との間に接続される出力スイッチとを導通状態又は非導通状態に制御することで、インバータ給電とバイパス給電との切り替えの制御を行っている。
【先行技術文献】
【特許文献】
【０００３】
【特許文献１】特開２０１６−４９０１１号公報
【発明の概要】
【発明が解決しようとする課題】
【０００４】
ところで、バイパス給電からインバータ給電に切り替える場合には、負荷への出力が途切れないようにするために、出力スイッチを導通状態にしたまま、出力リレーを導通状態に切り換える必要がある。ただし、出力リレーと出力スイッチとが共に導通状態となると、インバータからの出力と商用電源からの出力とが衝突して、インバータと商用電源との間で過電流が発生する。そのため、電源装置は、出力リレーが導通状態に切り替わった場合に、インバータの出力を一旦停止して過電流を抑制する必要がある。ただし、出力リレーが自身の状態情報を送出する接点がないタイプである場合には、電源装置は、出力リレーが導通状態に切り替わったことを検出することができない。そのため、出力リレーの状態情報を検出する検出回路を別途設ける必要があり、高コストである。
【０００５】
本発明は、このような事情に鑑みてなされたもので、その目的は、低コストの構成で、出力リレーを導通状態に切り替わった場合に発生する過電流を抑制する電源装置、及びインバータを提供することである。
【課題を解決するための手段】
【０００６】
本発明の一態様は、外部から交流電力が供給されるバイパス給電線と交流出力の出力線との間に接続される第１のスイッチと、直流電力を交流電力に変換するＤＣ／ＡＣ変換部と、前記ＤＣ／ＡＣ変換部の出力電圧を制御する出力電圧制御部と、前記ＤＣ／ＡＣ変換部の出力と前記出力線との間に接続される第２のスイッチと、前記ＤＣ／ＡＣ変換部の出力に流れる電流を測定する電流測定部と、前記出力電圧制御部により前記ＤＣ／ＡＣ変換部を起動させた後に、前記電流測定部が測定する電流が所定値以上になった場合に、前記第２のスイッチが非導通状態から導通状態に切り替わったことを検出する状態検出部と、を備えることを特徴とする電源装置である。
【０００７】
本発明の一態様は、上述の電源装置であって、前記出力電圧制御部は、前記第２のスイッチにおける、前記非導通状態から前記導通状態への切り替わりを検出した場合に、前記ＤＣ／ＡＣ変換部を停止する。
【０００８】
本発明の一態様は、上述の電源装置であって、前記第２のスイッチを導通状態と非導通状態とに切り替え可能な第１の制御部を備え、前記第１の制御部は、前記出力電圧制御部により前記ＤＣ／ＡＣ変換部を起動させた後に、前記第２のスイッチを非導通状態から導通状態に切り換える。
【０００９】
本発明の一態様は、上述の電源装置であって、前記第１のスイッチを導通状態と非導通状態とに切り替え可能な第２の制御部を備え、前記第２の制御部は、前記出力電圧制御部により前記ＤＣ／ＡＣ変換部が停止された場合に、前記第１のスイッチを導通状態に切り換え、前記出力電圧制御部は、前記第１のスイッチが導通状態から非導通状態に切り換わった場合に、前記ＤＣ／ＡＣ変換部を再起動する。
【００１０】
本発明の一態様は、直流電力を交流電力に変換するＤＣ／ＡＣ変換部と、前記ＤＣ／ＡＣ変換部の出力電圧を制御する出力電圧制御部と、前記ＤＣ／ＡＣ変換部の出力と交流出力の出力線との間に接続される第２のスイッチの状態を検出する状態検出部と、前記ＤＣ／ＡＣ変換部の出力に流れる電流を測定する電流測定部と、を備え、前記状態検出部は、前記出力電圧制御部により前記ＤＣ／ＡＣ変換部を起動させた後に、前記電流測定部が測定する電流が所定値以上になった場合に、前記第２のスイッチが非導通状態から導通状態に切り替わったことを検出することを特徴とするインバータである。
【発明の効果】
【００１１】
以上説明したように、本発明によれば、低コストの構成で、出力リレーを導通状態に切り替わった場合に発生する過電流を抑制することができる。
【図面の簡単な説明】
【００１２】
【図１】本発明の一実施形態に係る電源装置Ａの一例を示す機能ブロック図である。
【図２】本発明の一実施形態に係る本発明の一実施形態に係るバイパス給電からインバータ給電に切り替える動作のフロー図である。
【図３】本発明の一実施形態に係る本発明の一実施形態に係るバイパス給電からインバータ給電に切り替える動作のタイミングチャートである。
【図４】本発明の一実施形態に係るバイパス給電における電流の流れを示す図である。
【図５】本発明の一実施形態に係る出力スイッチ３が導通状態に切り替わった場合を示す図である。
【図６】本発明の一実施形態に係るＤＣ／ＡＣ変換部５１と商用電源２００との間で過電流が発生する場合における電流の流れを示す図である。
【発明を実施するための形態】
【００１３】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。また、図面における要素の形状及び大きさなどはより明確な説明のために誇張されることがある。
【００１４】
以下、本発明の一実施形態に係る電源装置を、図面を用いて説明する。
図１は、本発明の一実施形態に係る電源装置Ａの一例を示す機能ブロック図である。
図１に示すように、電源装置Ａは、開閉スイッチ１、半導体スイッチ２、及び出力スイッチ３、制御部４（第２の制御部）、及びインバータ部５を備える。なお、開閉スイッチ１は、本発明の「第１のスイッチ」の一例である。なお、インバータ部５は、本発明の「インバータ」の一例である。
【００１５】
電源装置Ａは、直流電源１００（外部）から供給される直流電力をインバータ部５が変換した交流電力と、商用電源２００（外部）から供給される交流電力とを切り替えて出力可能な電源装置である。ここで、商用電源２００は、例えば、１００Ｖ（ボルト）の交流電源である。
【００１６】
なお、以下の説明において、商用電源２００から供給された交流電力を、電源装置Ａの出力線に供給することをバイパス給電と称し、インバータ部５で変換した交流電力を電源装置Ａの出力線に供給することをインバータ給電と称する。また、商用電源２００から交流電力が供給される電源供給線をバイパス給電線Ｌ１と称し、電源装置Ａの出力線である交流出力の出力線を交流出力線Ｌ３と称する。
【００１７】
開閉スイッチ１は、例えば、リレースイッチや開閉器などの機械的に接点を開閉するスイッチである。開閉スイッチ１は、商用電源２００から交流電力が供給されるバイパス給電線Ｌ１と交流出力線Ｌ３との間に接続されている。
開閉スイッチ１は、制御部４から供給される制御信号に基づいて、オフ状態（非導通状態）とオン状態（導通状態）とが切り替えられる。なお、開閉スイッチ１は、機械的に接点を開閉するため、制御信号により、オフ状態又はオン状態に制御された際に、実際に制御された状態になるまでに遅延時間（タイムラグ）が生じる。
【００１８】
半導体スイッチ２は、例えば、サイリスタやトライアックなどのスイッチであり、開閉スイッチ１と並列に接続されている。すなわち、半導体スイッチ２は、バイパス給電線Ｌ１と交流出力線Ｌ３との間に接続されている。半導体スイッチ２は、制御部４から供給される制御信号に基づいて、オフ状態とオン状態とが切り替えられる。
【００１９】
半導体スイッチ２は、制御信号によってオン状態に制御された際に、開閉スイッチ１よりも遅延時間（タイムラグ）が短いため、交流出力線Ｌ３への給電が途切れないように、開閉スイッチ１と並列に接続されている。また、半導体スイッチ２は、制御信号によってオフ状態に制御された際には、オフ状態になるまでに、交流電流が０（ゼロ）になるまでの期間（交流電流が反転するまでの期間）の遅延時間（タイムラグ）が生じるものとする。すなわち、半導体スイッチ２は、オフ状態に制御された際に、オフ状態になるまでに所定の時間を要し、オフ状態になったか否かを示す状態信号が出力されないスイッチである。
【００２０】
出力スイッチ３は、例えば、リレースイッチや開閉器などの機械的に接点を開閉するスイッチである。出力スイッチ３は、インバータ部５の出力線Ｌ２と交流出力線Ｌ３との間に接続されている。出力スイッチ３は、制御部４から供給される制御信号に基づいて、オフ状態とオン状態とが切り替えられる。
【００２１】
制御部４は、例えば、インバータ部５の動作を制御するとともに、バイパス給電とインバータ給電との切り替えを制御する。具体的には、制御部４は、開閉スイッチ１、及び半導体スイッチ２のそれぞれのオン状態とオフ状態との切り替えを制御する。また、制御部４は、出力スイッチ３のオン状態とオフ状態との切り替えを制御する。
【００２２】
制御部４は、例えば、ＣＰＵなどを含むプロセッサであり、電源装置Ａを統括的に制御する。制御部４は、例えば、バイパス給電からインバータ給電に切り替える際に、開閉スイッチ１及び半導体スイッチ２をオフ状態にし、半導体スイッチ２の両端の電圧差が所定の閾値以上（例えば、数Ｖ程度以上）になった場合に、インバータ給電を開始させる。
【００２３】
具体的に、制御部４は、バイパス給電からインバータ給電に切り替える際に、半導体スイッチ２をオフ状態にするとともに、出力スイッチ３をオン状態にし、半導体スイッチ２の両端の電圧差が所定の閾値以上になった場合に、インバータ部５の変換を開始させることによりインバータ給電を開始させる。すなわち、制御部４は、半導体スイッチ２の両端の電圧差が所定の閾値以上になった場合に、インバータ部５に出力許可信号を出力する。なお、制御部４は、例えば、不図示のＡＤＣ（Analog to Digital Converter）を有しており、当該ＡＤＣにより、半導体スイッチ２の両端の電圧を検出する。
【００２４】
インバータ部５は、直流電源１００から供給された直流電力を交流電力に変換する。インバータ部５は、制御部４が出力する制御信号（例えば、出力許可信号などを含む）に基づいて制御され、変換した交流電力を出力線Ｌ２に出力する。なお、インバータ部５は、例えば、ＣＡＮ（Controller Area Network）によって、制御部４との間で通信し、制御部４によって制御されてもよい。
【００２５】
インバータ部５は、ＤＣ／ＡＣ変換部５１、交流フィルタ部５２、電流測定部５３、出力リレー５４、及びインバータ制御部５５を備える。なお、出力リレー５４は、本発明の「第２のスイッチ」の一例である。
【００２６】
ＤＣ／ＡＣ変換部５１は、直流電源１００から供給された直流電圧Ｖｄｃを、例えば、１００Ｖ、５０Ｈｚ（ヘルツ）（又は６０Ｈｚ）の交流電圧Ｖａｃに変換する。ＤＣ／ＡＣ変換部５１は、不図示のスイッチング素子を備え、インバータ制御部５５からの制御により、スイッチング素子をスイッチングすることにより、直流電圧（直流電力）を交流電圧（交流電力）に変換する。
【００２７】
交流フィルタ部５２は、例えば、ＬＣフィルタであり、ＤＣ／ＡＣ変換部５１が変換した交流電圧からリップルを除去する。
【００２８】
電流測定部５３は、ＤＣ／ＡＣ変換部５１の出力側に設けられる。本実施形態では、電流測定部５３は、交流フィルタ部５２の出力と、出力リレー５４との間に設けられる。
電流測定部５３は、ＤＣ／ＡＣ変換部５１の出力に流れる電流Ｉｏｕｔを測定する。ここで、ＤＣ／ＡＣ変換部５１の出力に流れる電流とは、ＤＣ／ＡＣ変換部５１の出力から出力線Ｌ２に出力される電流と、出力線Ｌ２からＤＣ／ＡＣ変換部５１の出力に流入する電流との、少なくともいずれかである。電流測定部５３は、測定した電流Ｉｏｕｔをインバータ制御部５５に出力する。
【００２９】
出力リレー５４は、ＤＣ／ＡＣ変換部５１の出力と出力線Ｌ２との間に接続される。
出力リレー５４は、例えば、リレースイッチであり、交流フィルタ部５２の出力と、交流電圧Ｖａｃの出力線Ｌ２との間に接続されている。出力リレー５４は、インバータ制御部５５から供給される制御信号に基づいて、オフ状態とオン状態とが切り替えられる。また、出力リレー５４は、オン状態になったか否かを示す状態信号が出力されないスイッチである。
【００３０】
インバータ制御部５５は、例えば、ＣＰＵ（Central Processing Unit）などを含むプロセッサであり、インバータ部５を統括的に制御する。
【００３１】
図１に示すように、本実施形態に係るインバータ制御部５５は、状態検出部５５１、制御部５５２（第１の制御部）、及び出力電圧制御部５５３を備える。
【００３２】
状態検出部５５１は、電流測定部５３が測定した電流Ｉｏｕｔに基づいて、出力リレー５４の状態を検出する。具体的には、電流測定部５３が測定した電流Ｉｏｕｔが所定値以上になった場合に、出力リレー５４がオフ状態からオン状態に切り替わったことを検出する。状態検出部５５１は、出力リレー５４がオフ状態からオン状態に切り替わったことを検出すると、その旨を示す検出信号を出力電圧制御部５５３に出力する。
【００３３】
制御部５５２は、出力リレー５４をオン状態とオフ状態とのいずれかに切り替える。具体的には、制御部５５２は、出力電圧制御部５５３によりＤＣ／ＡＣ変換部５１を起動させた後に、出力リレー５４をオフ状態からオン状態に切り換える。
【００３４】
出力電圧制御部５５３は、ＤＣ／ＡＣ変換部５１の出力電圧を制御する。例えば、出力電圧制御部５５３は、交流フィルタ部５２の出力電圧（交流電圧Ｖａｃ）を検出し、検出した当該電圧（交流電圧Ｖａｃ）が、目標の交流電圧になるように、ＤＣ／ＡＣ変換部５１のスイッチングを制御する。
【００３５】
出力電圧制御部５５３は、制御部４からユニット運転指令を取得した場合には、ＤＣ／ＡＣ変換部５１を起動する。ユニット運転指令とは、ＤＣ／ＡＣ変換部５１を起動させることを指示する信号であって、例えば、インバータ部５内の異常が解消された場合に、制御部４から出力電圧制御部５５３に出力される。なお、インバータ部５内の異常が検出されている間は、商用電源２００から電源装置Ａの交流出力線Ｌ３に交流電力を供給するバイパス給電とする。一方、インバータ部５内の異常が解消された場合には、バイパス給電からインバータ給電に切り替えられる。すなわち、出力電圧制御部５５３は、ユニット運転指令を取得した場合には、インバータ部５で変換した交流電力を電源装置Ａの出力線に供給するための制御を行う。
【００３６】
出力電圧制御部５５３は、状態検出部５５１から検出信号を取得した場合には、ＤＣ／ＡＣ変換部５１を停止する。すなわち、出力電圧制御部５５３は、状態検出部５５１により出力リレー５４における、オフ状態からオン状態への切り替わりを検出した場合に、ＤＣ／ＡＣ変換部５１を停止する。
【００３７】
出力電圧制御部５５３は、半導体スイッチ２がオン状態からオフ状態に切り換わった場合に、ＤＣ／ＡＣ変換部５１を再起動する。すなわち、出力電圧制御部５５３は、制御部４から出力許可信号を取得した場合に、ＤＣ／ＡＣ変換部５１を再起動する。
【００３８】
以下に、本発明の一実施形態に係るバイパス給電からインバータ給電に切り替える動作について、図２〜図６を用いて説明する。なお、初期状態として、制御部４がインバータ部５内の異常を検出しており、バイパス給電しているものとする（図４）。すなわち、開閉スイッチ１がオン状態、半導体スイッチ２がオフ状態であり、インバータ部５が動作を停止しており、出力スイッチ３がオフ状態であるものとする。そのため、初期状態として、商用電圧Ｖｉｎ_ａｃが電源装置Ａの出力電圧（交流出力電圧Ｖａｃ_ｏｕｔ）として電源装置Ａから出力されている。なお、図３に示す電圧、電流波形において、点線が商用電源２００から出力される電圧、電流の波形を示し、実線がインバータ部５から出力される電圧、電流の波形を示す。
【００３９】
制御部４は、インバータ部５内の異常が解消したと判定した場合には（時刻Ｔ１）、インバータ部５にユニット運転指令（Ｌ状態の信号）を送信する（ステップＳ１０１）。
【００４０】
制御部４は、開閉スイッチ１をオン状態からオフ状態に切り替えるために、開閉スイッチ１に制御信号を出力する（時刻Ｔ２）。制御部４は、半導体スイッチ２をオフ状態からオン状態に切り替えるために、半導体スイッチ２に制御信号を出力する（時刻Ｔ２）。制御部４は、出力スイッチ３をオフ状態からオン状態に切り替えるために、出力スイッチ３に制御信号を出力する（時刻Ｔ２）。
【００４１】
これにより、時刻Ｔ３において、開閉スイッチ１がオフ状態となり、出力スイッチ３がオン状態となる（ステップＳ１０２）。なお、半導体スイッチ２は、開閉スイッチ１よりも遅延時間（タイムラグ）が短いため、時刻Ｔ２でオン状態となる。
【００４２】
ここで、出力スイッチ３がオン状態であるため、出力リレー５４の外側に商用電圧Ｖｉｎ_ａｃが印加される（図５）。ただし、出力リレー５４はオフ状態であるため、インバータ部５内に商用電流が流れることはない。
【００４３】
出力電圧制御部５５３は、時刻Ｔ４において、制御部４からユニット運転指令を取得すると、ＤＣ／ＡＣ変換部５１を起動する（ステップＳ１０３）。これにより、ＤＣ／ＡＣ変換部５１は、直流電源１００から供給された直流電圧Ｖｄｃを交流電圧Ｖａｃに変換する。これにより、交流フィルタ部５２と出力リレー５４との間に交流電圧Ｖａｃが印加される。なお、出力電圧制御部５５３は、可能な限り、交流電圧Ｖａｃを商用電圧Ｖｉｎ_ａｃと同電圧、且つ同位相になるようにＤＣ／ＡＣ変換部５１を制御する。
【００４４】
出力電圧制御部５５３は、ＤＣ／ＡＣ変換部５１を起動すると、ＤＣ／ＡＣ変換部５１を起動したことを示す起動信号を制御部５５２に出力する。
【００４５】
制御部５５２は、出力電圧制御部５５３から起動信号を取得すると、出力リレー５４をオフ状態からオン状態に切り替えるために、制御信号（Ｌ状態の制御信号）を出力リレー５４に出力する。これにより、時刻Ｔ５において、出力リレー５４がオフ状態からオン状態に切り替わる（ステップＳ１０４）。
ここで、出力リレー５４がオン状態になると、商用電源２００からの商用電圧Ｖｉｎ_ａｃと、ＤＣ／ＡＣ変換部５１からの交流電圧Ｖａｃとが衝突して、ＤＣ／ＡＣ変換部５１と商用電源２００との間で過電流が発生する（図６）。
【００４６】
状態検出部５５１は、電流測定部５３が測定した電流Ｉｏｕｔの絶対値が所定値以上か否かを判定する（ステップＳ１０５）。状態検出部５５１は、電流測定部５３が測定した電流Ｉｏｕｔの絶対値が所定値以上であると判定した場合には、出力リレー５４がオフ状態からオン状態に切り替わったことを検出する。
【００４７】
一方、状態検出部５５１は、電流測定部５３が測定した電流Ｉｏｕｔの絶対値が所定値未満であると判定した場合には、出力リレー５４がオフ状態からオン状態に切り替わっていないことを検出する。
【００４８】
このように、状態検出部５５１は、出力リレー５４がオン状態になると、商用電源２００からの商用電圧Ｖｉｎ_ａｃと、ＤＣ／ＡＣ変換部５１からの交流電圧Ｖａｃとが衝突して、ＤＣ／ＡＣ変換部５１と商用電源２００との間で過電流が発生することを利用して、出力リレー５４がオン状態に切り替わった否かを判定する。すなわち、状態検出部５５１は、電流Ｉｏｕｔを所定周期ごとに監視し、そのＩｏｕｔの絶対値が一定値以上の電流値になった場合は、過電流が流れた、すなわち出力リレー５４がオフ状態からオン状態に切り替わったと判定する。
【００４９】
状態検出部５５１は、出力リレー５４がオフ状態からオン状態に切り替わったことを検出すると、検出信号を出力電圧制御部５５３に出力する。
出力電圧制御部５５３は、状態検出部５５１から検出信号を取得した場合には、ＤＣ／ＡＣ変換部５１を一旦停止する（ステップＳ１０６）。これにより、インバータ部５内には、商用電圧Ｖｉｎ_ａｃが印加されることになる。ただし、ＤＣ／ＡＣ変換部５１が停止されているため、インバータ部５内に電流が流れることがない。すなわち、出力リレー５４がオン状態であるが、上記過電流が防止されている状態となる。
【００５０】
出力電圧制御部５５３は、ＤＣ／ＡＣ変換部５１を一旦停止すると、その旨を示す停止信号を制御部４に送信する。
制御部４は、出力電圧制御部５５３から停止信号を受信すると、バイパス給電からインバータ給電に切り替えるために、半導体スイッチ２をオン状態からオフ状態に切り替える制御信号を半導体スイッチ２に出力する（時刻Ｔ６）。これにより、半導体スイッチ２は、オン状態からオフ状態に切り替わる（ステップＳ１０７。ただし、半導体スイッチ２は、交流電流が０（ゼロ）になるまでオフ状態にはならない。そのため、交流電流が反転するまでの期間の間は、半導体スイッチ２に商用電流が流れ続ける。
【００５１】
出力電圧制御部５５３は、半導体スイッチ２がオン状態からオフ状態に切り換わった場合に、ＤＣ／ＡＣ変換部５１を再起動する（ステップＳ１０８）。具体的には、出力電圧制御部５５３は、半導体スイッチ２がオフ状態に切り替わった後における半周期後のゼロクロスのタイミングでＤＣ／ＡＣ変換部５１を起動する。例えば、出力電圧制御部５５３は、制御部４から上記タイミングを示す信号（出力許可信号）を取得した場合に、ＤＣ／ＡＣ変換部５１を再起動する。
【００５２】
これにより、電源装置Ａは、バイパス給電からインバータ給電に出力が途切れずに切り替えることができる（時刻Ｔ７）。
【００５３】
上述したように、本発明の一実施形態に係る電源装置Ａは、ＤＣ／ＡＣ変換部５１から出力される出力電流に基づいて、出力リレー５４の状態を検出する。これにより、出力リレー５４の状態情報を検出する検出回路が不要となる。したがって、低コストの構成で、出力リレー５４がオン状態に切り替わった場合に発生する過電流を抑制することができる。
【００５４】
なお、本発明は上記実施形態に限定されるものではなく、例えば以下のような変形例が考えられる。
（１）上記実施形態の電源装置Ａは、一つのインバータ部５を備える例を説明したが、これに限定されない。例えば、電源装置Ａは、複数のインバータ部５を備え、各インバータ部５が並列に接続される構成であってもよい。これにより、電源装置Ａは、インバータ供給可能な交流電力を増大させることができる。
【００５５】
（２）上記実施形態の電源装置Ａは、バイパス給電として、１００Ｖの商用電源を直接供給する例を説明したが、２００Ｖなどの交流電圧をバイパス給電として供給してもよい。
【００５６】
（３）上記実施形態において、制御部４や制御部５５２が出力する制御信号のＨ状態により制御される状態とＬ状態により制御される状態とは、上述した実施形態に限定されるものではなく、逆の論理状態により制御されてもよい。
【００５７】
（４）上記実施形態のインバータ部５において、ＤＣ／ＡＣ変換部５１は、直流電源１００から供給された直流電圧Ｖｄｃを交流電圧Ｖａｃに変換する例について説明したが、本発明はこれに限定されない。例えば、直流電源１００とＤＣ／ＡＣ変換部５１との間に、ＤＣ／ＤＣ変換部、及び直流フィルタ部（例えば、ＬＣフィルタ）を設けてもよい。
例えば、ＤＣ／ＤＣ変換部は、直流電源１００から供給されたＶｄｃを所定の直流電圧に変換する。そして、直流フィルタ部は、ＤＣ／ＤＣ変換部が変換した直流電圧からリップルを除去する。ＤＣ／ＡＣ変換部５１は、直流フィルタ部で除去された直流電圧を交流電圧Ｖａｃに変換する。
【符号の説明】
【００５８】
Ａ  電源装置
１  開閉スイッチ（第１のスイッチ）
２  半導体スイッチ（第１のスイッチ）
３  出力スイッチ
４  制御部（第２の制御部）
５  インバータ部
５１  ＤＣ／ＡＣ変換部
５２  交流フィルタ部
５３  電流測定部
５４  出力リレー（第２のスイッチ）
５５  インバータ制御部
５５１  状態検出部
５５２  制御部（第１の制御部）
５５３  出力電圧制御部
【図１】
2018170921.tif 000003
【図２】
2018170921.tif 000004
【図３】
2018170921.tif 000005
【図４】
2018170921.tif 000006
【図５】
2018170921.tif 000007
【図６】
2018170921.tif 000008